(57)【要約】【課題】  貝移送体と貝移動通路の間隔調整に大きな力が必要であり、間隔調整をスムースに行なうことが難しかった。間隔調整が適切でないと、貝の大きさによっては貝をスムースに移送できないとか、貝の周縁が損傷することがあった。【解決手段】  貝移送体をレバーの梃子の原理で、弱い力でもスムースに昇降させて、貝移送体と貝移動通路の間隔調整を容易にした。貝移送体を間隔調整位置にロックできるロック機構を設けた。また、貝移送体の入口側を跳ね上げ位置に保持可能な保持機構を備えることもできる。【選択図】      図１
2006109778.tif 000002
【特許請求の範囲】
【請求項１】
上方開口の貝移動通路と、貝移動通路内の貝を貝移動通路の入口側から出口側に移送する回転式の貝移送体と、貝移送体により貝移動通路内を移送される貝の汚れを掻き落とす回転式の汚れ除去具を備えた貝清浄機において、貝移動通路に昇降可能に取付けられた昇降体に貝移送体とレバーの先端側が取付けられ、レバーの先端側と反対側の操作端部を昇降操作すると前記昇降体が昇降すると共に貝移送体が昇降して貝移送体と貝移動通路の間の間隔が調整されることを特徴とする貝清浄機。
【請求項２】
請求項１記載の貝清浄機において、貝移送体はその出口側が貝移動通路の上方に昇降可能に設けられ、入口側が出口側の取り付け部を支持点として跳ね上げ降下可能であり、昇降体が貝移動通路の出口側に昇降可能に取付けられて、レバーの操作端部の昇降操作により昇降体が昇降すると貝移送体も昇降することを特徴とする貝清浄機。
【請求項３】
請求項１記載の貝清浄機において、貝移送体はその出口側と入口側が貝移動通路の上方に昇降可能に設けられ、昇降体が貝移動通路の出口側と入口側の夫々に昇降可能に取付けられ、夫々の昇降体に連結されたレバーの操作端部の昇降操作により夫々の昇降体が昇降すると貝移送体の出口側と入口側が別々に昇降することを特徴とする貝清浄機。
【請求項４】
請求項１記載の貝清浄機において、貝移送体はその出口側と入口側が貝移動通路の上方に昇降可能に設けられ、昇降体が貝移動通路の出口側と入口側の中程に昇降可能に取付けられ、その昇降体に連結されたレバーの操作端部の昇降操作により昇降体が昇降すると貝移送体も昇降することを特徴とする貝清浄機。
【請求項５】
請求項１乃至請求項４のいずれかに記載の貝清浄機において、レバーにその昇降を固定、解除するレバーロック機構が設けられたことを特徴とする貝清浄機。
【請求項６】
請求項１乃至請求項５のいずれかに記載の貝清浄機において、貝移送体側に係止ピンが突設され、昇降体に首振り自在で前方下がりの係止バーが設けられ、係止ピンは貝移送体の入口側を跳ね上げると貝移送体と共に上方に回動して係止バーを自動的に押し上げて係止バーの係止部に係止して、貝移送体の入口側を跳ね上げ位置に保持可能な保持機構を備えたことを特徴とする貝清浄機。
【発明の詳細な説明】
【技術分野】
【０００１】
本発明は、帆立貝等の貝類の殻の表面に付着している付着物を除去する貝清浄機に関し、貝移動通路とその上に配置した貝移送体との間隔を調節して、貝移動通路内を移送される貝への貝移送体の押付け圧を調節可能としたものである。
【背景技術】
【０００２】
帆立貝等の貝類を海中で養殖すると、貝の殻の表面に海草や汚れが付着する。そのままでは、養殖中は貝の成長が阻害され、市場へ出荷する場合は体裁が悪い。そこで、それら付着物は貝清浄機により除去されている。貝清浄機としては、側面Ｖ字状の貝移動通路内の貝をその入口側から出口側に回転移送体により移送し、移送中に、貝移動通路の側方に設けた掃除具の爪を貝表面に接触させて、殻の表面に付着している付着物を掻き落すものがある。（特許文献１参照）。
【０００３】
前記貝移動通路は多数本の棒材が間隔をあけて左右二列に配置され、左右列の棒材が配列方向に互い違いにずらして配置され、各列の棒材の間隔が掃除具の爪が突出する開口部となっている。
【０００４】
前記貝移送体は駆動軸のスプロケットと遊動軸のスプロケットの間にチェーンが掛けられ、そのチェーンに送り片が間隔をあけて取付けられており、駆動軸と遊動軸を貝移動通路のフレームの上に取付けて、送り片を貝移動通路の上方開口部から貝移動通路内に突出させ、チェーンの回転に伴って送り片が回転すると、送り片の回転により貝移動通路内の貝が回転しながら移動するようにしてある。
【０００５】
前記掃除具は、回転帯に金属製の爪が取り付けられており、その爪が貝移動通路の棒材の間の開口部から貝移動通路の内側に突出して、貝移動通路内を移送中の貝表面の付着物を掻き落すようにしてある。
【０００６】
【特許文献１】実公昭５２−４３６７６号公報。
【発明の開示】
【発明が解決しようとする課題】
【０００７】
従来の貝清浄機は次のような課題があった。
（１）貝移動通路と貝移送体の間隔が常に一定であると、大きい貝のときは貝移動通路内の貝への貝移送体の押しが強くなり、貝が貝移動通路に強く押しつけられて貝の周縁が欠けて、体裁が悪くなり、等級が下がり、安価になる。逆に、小さい貝のときは、貝移動通路内の貝への貝移送体の当たりが弱くなり、貝の移送が不十分になることがある。このため、貝移動通路内の貝を強く押付け過ぎることなく、貝の大小に関わらずスムースに移送するためには、貝移動通路と貝移送体の間隔を貝の大きさに合わせて調節するのが望ましい。
（２）従来は、貝移動通路と貝移送体の間隔を調節可能とするために、貝移送体の駆動軸と遊動軸を貝移動通路のフレームに昇降可能に取付けて、夫々の軸の両端を両手で持って昇降させることができるようにしてある。しかし、夫々の軸には貝移送体の荷重が掛かるため、重く、持ち上げるためには、強い力が必要になる。また、夫々の軸の両端を同時に同じ距離昇降させないと、軸が傾いてスムースに昇降せず、昇降操作が面倒であった。また、スムースに昇降しにくいため、所望位置に位置決めするのが難しかった。
【課題を解決するための手段】
【０００８】
本発明は、貝移送体の昇降操作が容易で、貝移動通路と貝移送体の間隔を所望間隔に手軽に調節することができる貝清浄機を提供するものである。
【０００９】
本件出願の貝清浄機は、上方開口の貝移動通路と、貝移動通路内の貝を貝移動通路の入口側から出口側に移送する回転式の貝移送体と、貝移送体により貝移動通路内を移送中される貝の汚れを掻き落とす回転式の汚れ除去具を備えた貝清浄機において、貝移動通路に昇降可能に取付けられた昇降体に貝移送体とレバーの先端側が取付けられ、レバーの先端側と反対側の操作端部を昇降操作すると前記昇降体が昇降すると共に貝移送体が昇降して貝移送体と貝移動通路の間の間隔が調整されるようにした。
【００１０】
本件出願の貝清浄機は、貝移送体がその出口側が貝移動通路の上方に昇降可能に設けられ、入口側が出口側の取り付け部を支持点として跳ね上げ降下可能であり、昇降体が貝移動通路の出口側に昇降可能に取付けられて、レバーの操作端部の昇降操作により昇降体が昇降すると貝移送体も昇降するようにした。
【００１１】
本件出願の貝清浄機は、貝移送体がその出口側と入口側が貝移動通路の上方に昇降可能に設けられ、昇降体が貝移動通路の出口側と入口側の夫々に昇降可能に取付けられ、夫々の昇降体に連結されたレバーの操作端部の昇降操作により夫々の昇降体が昇降すると貝移送体の出口側と入口側が別々に昇降するようにすることもできる。
【００１２】
本発明の貝清浄機は、貝移送体がその出口側と入口側が貝移動通路の上方に昇降可能に設けられ、昇降体が貝移動通路の出口側と入口側の中程に昇降可能に取付けられ、その昇降体に連結されたレバーの操作端部の昇降操作により昇降体が昇降すると貝移送体全体が昇降するようにすることもできる。
【００１３】
前記いずれの場合も、レバーにその昇降を固定、解除するロック機構を設けて、レバーを所望位置に固定できるようにしてある。
【００１４】
本発明の貝清浄機は、貝移送体側に係止ピンを突設し、昇降体に首振り自在で前方下がりの係止バーを設け、係止ピンは貝移送体の入口側を跳ね上げると貝移送体と共に上方に回動して係止バーを自動的に押し上げて係止バーの係止部に係止し、貝移送体の入口側を跳ね上げ位置に保持可能な保持機構を設けることもできる。
【発明の効果】
【００１５】
本件出願の貝清浄機には次のような効果がある。
（１）レバーの操作端部を昇降操作するだけで、貝移送体が昇降して貝移送体と貝移動通路の間の間隔が調整されるので、貝の大きさに合わせて容易に間隔調整ができる。
（２）昇降体にレバーの先端側が取付けられ、レバーの先端側と反対側の操作端部を昇降操作すると前記昇降体が昇降するようにして、レバーを梃子式としたため、弱い力でも貝移送体を手軽に昇降操作できる。また、貝移送体をスムースに昇降操作できるため、貝移送体の昇降位置を位置決めし易く、所望位置に手軽に調整できる。
（３）レバーにレバーロック機構が設けられているため、レバーを所望の昇降位置に固定することが出来、貝移送体と貝移動通路の間の間隔が一定に確保され、不用意に変わることがない。
（４）請求項２のような、貝移送体の入口側が跳ね上げ降下可能な貝清浄機の場合であっても、レバーの操作端部を昇降操作するだけで前記効果が得られる。また、貝移送体の入口側が跳ね上げ降下可能であるため、貝の大きさや形状、付着物の付着状況等に追随して貝移送体を上下動させて、大きさや形状の異なる貝を確実且つスムースに移送することができる。また、貝移動通路内に貝が詰まったり、貝移動通路内を掃除する場合に、貝移送体の入口側を上方まで跳ね上げることによって、貝移動通路内に詰まった貝を容易に除去したり、貝移動通路内や貝移送体の掃除、点検、修理等がし易くなる。
（５）請求項３のような、貝移送体の入口側と出口側が別々に昇降する貝清浄機の場合にも、入口側と出口側の夫々のレバーの操作端部を昇降操作するだけで、貝移送体の入口側と出口側を別々に昇降させて間隔調整をすることができる。
（６）請求項４のような、貝移送体の入口側と出口側が共に昇降する貝清浄機の場合にも、一つのレバーの操作端部を昇降操作するだけで、入口側と出口側を同時に昇降させて間隔調整することができ、操作性が良い。
【００１６】
本件出願の請求項５の貝清浄機は、レバーロック機構を設けたので、それをロックすればレバーが所定位置にロックされ、貝移送体が不用意に降下せず、貝移送体と貝移動通路の間隔が確保される。
【００１７】
本件出願の請求項６の貝清浄機は、跳ね上げた貝移送体を跳ね上げ位置に保持する保持機構を設けたので次のような効果がある。
（１）跳ね上げた貝移送体を保持機構で保持すれば、跳ね上げた貝移送体の下の貝移動通路内に詰った貝を取り除いたり、貝移動通路内を点検したり、掃除したりする場合に貝移送体が不用意に落下することが無く安全である。
（２）貝移送体を跳ね上げるだけで貝移送体が跳ね上げ位置に自動的に保持されるため、貝移送体を一々保持するための操作を行なう必要が無く便利である。
【発明を実施するための最良の形態】
【００１８】
（実施形態１）
本発明の貝清浄機の実施形態を図面を参照して説明する。この実施形態の貝清浄機は、図１に示すように、四角い枠形の架台１の夫々のコーナーに支持脚２を備え、該架台１に貝移動通路３を備え、貝移動通路３の上部に貝移送体４及び駆動源収容箱１１及びクラッチ２４を備え、貝移動通路３の左右両側に回転式の汚れ除去具５ａ、５ｂを備えている。
【００１９】
前記貝移動通路３は、図２（ａ）に示すように多数本の棒材７を左列と右列に互い違いに一本ずつ位置をずらして向かい合わせて並べ、棒材７の上端から下端に向けて内側に傾斜させて、側面形状をＶ字状にしてある。各棒材７は貝移動通路３の進行方向に棒材1本以上の間隔を開けて配置することもできる。左列と右列の夫々の棒材７は上端部を架台１に溶接とか他の手段で固定し、下端同士は互いに接触しないように隙間をあけて交差させて貝移動通路３の底面７７を形成している。貝移動通路３は、その底面７７の上を貝Ｓが脱落することなく移動できるようにすると共に、貝表面から掻き落とされたゴミがその隙間から落下して貝移動通路３内に溜まらないようにしてある。また、左列と右列の夫々の棒材７を間隔をあけて配置して、隣接する棒材７の間に空間を設け、その空間を開口部８としてある。この開口部８は前記汚れ除去具５ａ、５ｂの爪９の幅よりも広くして、爪９がその開口部８から貝移動通路３内に突出できるようにしてある。左列と右列の棒材７の上端は離れたまま（開口したまま）にして、貝移動通路３を上面開口にしてある。
【００２０】
図１、図３に示すように貝移動通路３の入口５０側の上方開口部６には貝Ｓを投入するためのホッパー５５が備えられている。ホッパー５５は上方広がりであり、下方が細くなって、投入された貝Ｓが縦向きで貝移動通路３内に落下するようにし、また、上端外周縁に円弧状のガイド５５ａを取付けて、投入される貝が確実にホッパー５５に入るようにしてある。
【００２１】
前記貝移送体４は図１、４に示すように、貝移動通路３の入口５０側の駆動輪３６の回転軸４０ａと前記貝移動通路３の出口６０側の従動輪３５の回転軸４０ｂの外周に掛けた回転走行体３１の外周面に送り片１０を一定間隔で取付けてある。回転走行体３１には無端のチェーンやベルト等の任意のものを用いることができる。貝移送体４は、送り片１０の先端部が貝移動通路３の上方開口部６（図２ｂ）から貝移動通路３内に入り込むように貝移動通路３の上方に配置して、図３の駆動源２３により駆動輪３６を回転させると回転走行体３１が図１の矢印ａ方向（貝移動通路３の入口５０側から出口６０側）に回転走行し、送り片１０も同方向に回転して貝移動通路３内の貝Ｓが貝移動通路３の出口６０側に送り出されるようにしてある。この場合、貝Ｓは縦向きで回転しながら貝移動通路３内を移送される。前記送り片１０には例えばゴム板や樹脂板等が適し、その形状は図４（ｂ）に示すように貝移動通路３のＶ字形状に合わせて先端部の幅を細くしてある。送り片１０は図４（ａ）に示すように回転走行体３１の進行方向に対して先端を回転方向後方に傾斜させて取付けてある。また、図５、図８に示すように、貝Ｓを移送中の送り片１０は進行方向と反対側に撓むようにしてある。
【００２２】
前記貝移送体４は図１、４に示すように、箱型のカバー３０で被覆されている。このカバー３０は底面及び入口５０側面が開口しており、貝移送体４の上方走行部３３を被覆可能な大きさに形成されている。カバー３０は横長板状のフレーム３８に固定されている。カバー３０の側面の入口５０側には貝移送体４を上方に押し上げたり、持ち上げたりするためのハンドル３４が側方に突出して取り付けられている。カバー３０は側面や上面に窓や溝を開口して、その内側の貝移送体４をカバー３０の外から見ることができるようにすることも可能である。
【００２３】
図１、図４では駆動輪３６及び従動輪３５にスプロケットを使用してあるが、それらにはプーリー、ドラム等を使用することもできる。駆動輪３６の回転軸４０ａ、従動輪３５の回転軸４０ｂの両端は、その両側に配置されている横長板状のフレーム３８にベアリング式の回転軸受４０ｃにより回転可能に取付けられている。
【００２４】
貝移送体４の従動輪３５の回転軸４０ｂは架台１に固定せずフリーにして上下動可能とし、その上下動に伴って貝移送体４の入口５０側が上下動するようにしてある。この場合、回転軸４０ｂがフリーになっていても貝移送体４の入口５０側は自重で図１のように水平になっている。このようにフリーにすることにより、貝移動通路３内を直径の大きな貝が移動したり、貝同士が高さ方向に重なったりして、貝により回転走行体３１が強く上げられると、貝移送体４の入口５０側が図１の上方（矢印ｂ方向）に押され、その押し上げに追随して上動することができる。この場合、貝移送体４の入口５０側が不用意に浮き上がり、がたついたりする虞れがある場合は、貝移送体４の入口５０側をばね４３で架台１に繋ぎ、そのばね４３で貝移送体４の入口５０側を貝移動通路３方向に引いておくこともできる。或いは、貝移送体４の入口５０側に、がたつき防止用の錘を取付けることもできる。また、ハンドル３４を図１の矢印ｂ方向に持ち上げたり、押し上げたりして、回転軸４０ａを支持点として略真上まで開くことができる。この場合、貝移送体４の入口５０側を上方に開いた状態に保持する。その保持は、例えば支持棒で支持する等、任意の方法で行うこともできる。他の方法で行うこともできる。他の方法については後記する。
【００２５】
貝移送体４の駆動輪３６の回転軸４０ａの両端は、図５〜９のように２つの板状の昇降体８０の夫々にベアリング式の回転軸受４０ｃにより回転可能に取付けられ、その昇降体８０が貝移動通路３の架台１から上方に立ち上げて対向させた２枚の支持体４１に昇降自在に取り付けられている。この場合、昇降体８０の取り付け孔（丸穴）８０ａ（図７参照）にボルト８０ｂを差込み、それを支持体４１に開口されているスライド孔（縦長孔）４１ａ（図６参照）に差込んで、ボルト８０ｂがそのスライド４１ａに沿って昇降し、それに伴って昇降体８０が昇降するようにしてある。
【００２６】
また、図６、図７のように、昇降体８０にはレバー９０の先端側が支持軸９１で回動自在に連結され、レバー９０の更に先方が支持体４１に連結軸９３で回動可能に取付けられている。レバー９０は図６、７に示すように左右両側に一本ずつ備えられており、両レバー９０の先端側と反対側の操作端部９２同士が、連結具９２ａで連結されて、両レバー９０の操作端部９２を同時に操作可能としてある。この構造とすることにより、レバー９０の操作端部９２を降下させると、図８に示すようにレバー９０が梃子の原理で連結軸９３を回転軸として回動し、昇降体８０が降下して、貝移送体４と貝移動通路３との間の距離ｄ、即ち、図８の貝移送体４の送り片１０の下端と貝移動通路３の底面７７との間の距離ｄが狭くなる。逆に、図５に示すように、レバー９０の操作端部９２を上昇させると、レバー９０が連結軸９３を回転軸として回動し、昇降体８０が上昇して、貝移送体４と貝移動通路３との間の距離ｄ、即ち、図５の貝移送体４の送り片１０の下端と貝移動通路３の底面７７との間の距離ｄが広くなる。この操作により貝移送体４の送り片１０の下端と貝移動通路３の底面７７との間の距離ｄを、貝移動通路３内を移送される貝の大きさに合わせて調節することができ、貝移送体４の出口６０側の送り片１０による貝移動通路３内の貝Ｓの送り出しが確実になり、貝Ｓに送り片１０による無理な押付け力が加わらず、貝が損傷しにくくなる。
【００２７】
図５、図８に示すように、昇降体８０にはレバー９０の昇降を固定、解除するロック機構８３を設けて、レバー９０を所望位置に固定できるようにしてある。ロック機構８３は昇降体８０に取付けた案内筒８４内にバー８５を上下にスライド可能に差込み、その案内筒８４の外から内側に操作ネジ８６をねじ込んであり、その操作ネジ８６を締付けるとバー８５の下端が架台１の上面に接した状態でバー８５が案内筒８４に固定されて昇降体８０の昇降が規制され、操作ネジ８６を緩めるとバー８５のロックが解除されて、バー８５が案内筒８４内を上下にスライドして、昇降体８０が自由に昇降できるようにしてある。
【００２８】
貝移送体４側には貝移送体４を跳ね上げ状態に保持する保持機構９４が設けられている。保持機構９４は貝移送体４のフレーム３８に係止ピン９５を突設し、昇降体８０に首振り自在で前方下がりの係止バー９６（図６、図７参照）を取付け、図９に示すように、係止ピン９５は貝移送体４の入口５０側を跳ね上げると上方に回動して係止バー９６を自動的に押し上げて係止バー９６の下向き半円弧状の係止部９７に係止して、貝移送体４の入口５０側を跳ね上げ位置に保持できるようにしてある。その係止状態で係止バー９６を押し上げて係止レバー９６の係止部９７と係止ピン９５の係止を解除してから、貝移送体４の入口５０側を押し上げると貝移送体４が図８のように降下できるようにしてある。この場合、係止バー９６の先端に取付けたナット９８に差し込まれているボルト９９の頭が係止ピン９５に突き当たって、貝移送体４の入口５０側がそれ以上は前下がりにならないようになる。
【００２９】
図４（ａ）に示すように回転走行体３１の内側には二つのガイドローラー３９ａ、３９ｂが配置されている。一方のガイドローラー３９ａはフレーム３８の下部両側方に一本ずつ備えられたアーム４５の先端側のブラケット４５ａに支持軸４５ｂにより回転可能に取付けられている。アーム４５はその基端部が軸４６によってフレーム３８に回動可能に取付けられ、先端部が、フレーム３８の両外側部分を縦向きに貫通する縦ロッド４７の下端部に回動自在に連結されている。縦ロッド４７の上端部には引きばね（スプリング）４４ａの上端部が連結され、またスプリング４４ａの下端部はカバー３０の下部に固定され、このスプリング４４ａにより縦ロッド４７に下向きの力が付勢され、これにより縦ロッド４７が下方に押されると、アーム４５の先端部は軸４６を支点として下方に押される。これにより、アーム４５に取付けられたガイドローラー３９ａが下方に押され、ガイドローラー３９ａにより回転走行体３１の下方走行部３２が下方に押され、下方走行部３２の送り片１０が貝移動通路３内の貝Ｓを確実に移送可能としてある。
【００３０】
他方のガイドローラー３９ｂは、フレーム３８の内側に対向させて、軸４６に回動可能に取付けられている二枚の三角板４８の一つの頂点部に支持軸４８ａにより回転可能に取付けられている。また、三角板４８の上方頂点部には引きばね（スプリング）４４ｂの一端が係止され、スプリング４４ｂの他端はフレーム３８に固定されて、三角板４８の頂点部を常時図４（ａ）の左側に引いている。これにより、三角板４８は軸４６を中心にして引かれた方向に回動し、ガイドローラー３９ｂが取付けられている頂点部（図４（ａ）の左角）が下向きに回動し、その頂点部に取付けられているガイドローラー３９ｂが下方に押されて、そのガイドローラー３９ｂによって回転走行体３１の下方走行部３２が下方に押され、下方走行部３２の送り片１０が貝移動通路３内の貝Ｓが確実に送られるようにしてある。このように、スプリング４４ａ、４４ｂによって下方に付勢されたガイドローラー３９ａ、３９ｂにより、貝移送体の下方走行部３２を上下させることによって、貝Ｓをスムースに移送することができ、貝Ｓの詰まりも殆どない。
【００３１】
前記スプリング４４ａ、４４ｂは図示したコイルばねに限らず、板ばねとか他の形状のバネ等を使用することができる。ガイドローラー及びスプリングの数や設置位置等も図示した数や位置に限らず、任意の数や位置とすることができる。
【００３２】
ガイドローラー３９ａ、３９ｂにガイドされて、回転走行体３１の下方走行部３２は、図４（ａ）に示すように、出口６０側に向けて次第に上り傾斜にしてある。上り傾斜部分の送り片１０は、水平部分の送り片１０よりも貝移動通路３内に深く入り込まないため、図４（ａ）に示すように貝Ｓに触れる接触面積が次第に少なくなる。従って、前記上り傾斜部分の下を通過する貝Ｓは移送速度が落とされ、貝が勢い良く送り出されることが無いため、貝の損傷を防ぐことができる。ガイドローラー３９ａが下方走行部３２を上り傾斜とする角度や上り傾斜部分の長さ等については、移送する貝の種類や形状や大きさ等、減速の必要に応じて任意の角度とすることができる。
【００３３】
図１に示す回転式の二本の汚れ除去具５ａ、５ｂの夫々は、一本の回転軸１２に多数の爪取付盤１３が間隔をあけて取付けられている。前記爪取付盤１３はゴム、樹脂等の弾性を有する素材により円盤状に成形して、その中心に中心孔を開口し、外周面にＬ字状の金属製の爪９を取付けたものや、ゴム、樹脂等の弾性を有する素材により円盤状の中心部から外側に多数枚の羽根を放射状に突設し、中心部の中心に中心孔を開口し、夫々の羽根の先端寄りに金属製の爪９が取り付けられたもの等、その外周部分に爪９を備えたものであれば、任意の形状とすることができる。爪９の取付けにはボルトとナットを使用したり、接着剤を使用したりすることが出来る。
【００３４】
２本の汚れ除去具５ａ、５ｂのうち１本は図１に示すように貝移動通路３の入口５０側から出口６０側に向けて下り傾斜に配置され、他の１本は入口５０側から出口６０側に向けて上り傾斜に配置されている。２本の汚れ除去具５ａ、５ｂ間の間隔は、入口５０側も出口６０側も等間隔としてある。このように、２本の汚れ除去具５ａ、５ｂを傾斜させて配置することにより、一方の汚れ除去具は入口５０側で貝Ｓの上部に、出口６０側で貝Ｓの下部に接触して貝表面全般の付着物を掻き落とすことができる。他方の汚れ除去具は入口５０側で貝Ｓの下部に、出口６０側で貝Ｓの上部に接触して貝表面全般の付着物を掻き落とすことができる。更に、２本の汚れ除去具５ａ、５ｂの入口５０側と出口６０側への下り傾斜を逆にすることにより、貝Ｓの右側と左側とで、両汚れ除去具５ａ、５ｂが反対側の面の貝Ｓの異なる部分（一方が貝Ｓの片面の上部、他方が貝Ｓの他面の下部）に接触するので、貝の挟着力が増し、貝を安定した状態にして清浄することができる。汚れ除去具５ａ、５ｂの配置は、この傾斜方向や、間隔には限られず、任意の配置とすることができる。
【００３５】
図１、図１０、図１１に示すように、前記汚れ除去具５ａ、５ｂの夫々の回転軸１２の入口５０側端部には、プーリー６１ａ、６１ｂが備えられており、両プーリー６１ａ、６１ｂと駆動プーリー６２（図１０）及びガイドプーリー６３（図１１）に伝達ベルト６４が掛けられている。駆動プーリー６２は図３に示すように、駆動軸６５によって駆動源（例えば、エンジン）２３の回転によって回転する伝達プーリー６６と接続され、駆動源２３の回転によって回転するようにしてある。駆動プーリー６２が回転すると、両プーリー６１ａ及び６１ｂが共に貝移動通路３に対して下向き方向に回転し、図１０に示すように二本の汚れ除去具５ａ、５ｂを回転させて（図１０矢印方向）、爪９によって貝Ｓの表面の汚れを掻き落として貝Ｓの表面を清浄することができる。
【００３６】
図１、図１０に示すように、汚れ除去具５ａ、５ｂの回転軸１２の入口５０側の端部には、ユニバーサルジョイント２２が備えられ、掃除具５ａ、５ｂの回転軸１２を上り傾斜や下り傾斜にしても、駆動軸６５の回転力を確実に回転軸１２に伝達することができるようにしてある。このため、傾斜角度、傾斜方向の異なる二本の回転軸１２同士を水平な駆動軸６５に連結して一つの動力源で回転させることができる。
【００３７】
また、図１１に示すように、汚れ除去具５ａ、５ｂの回転軸１２の入口５０側の端部を、架台１のフレーム３８に固定している回転軸固定具６７には、長穴（図示しない）が形成され、調整ボルト６８のナット位置を調節することによって、同図中矢印に示すように、回転軸１２の設置位置を上下左右に移動させられるようにしてある。なお、本実施形態の回転軸固定具６７は、同図に示すように傾けて設置され、貝移動通路３のＶ字型形状に沿って上下方向の調節ができるようにしてある。
【００３８】
図３に示すように、架台１上には、駆動源収容箱１１及びクラッチ２４が備えられている。前記駆動源収容箱１１は、側方開口の箱型の筐体であり、その内部には、駆動源２３及び減速機２５が備えられている。駆動源２３としては、モータやエンジン等を用いることができる。図３に示すように、駆動源２３の動力プーリー６９と、前記汚れ除去具５ａ、５ｂ用の伝達プーリー６６及び減速機２５の伝達プーリー７０とに、駆動ベルト７１が掛けられている。駆動ベルト７１は、前記クラッチ２４を用いてテンションを与えないと、駆動源２３の回転力を他のプーリーに伝達できないようにゆるく掛けられている。
【００３９】
前記クラッチ２４は、クラッチレバー２６及びクラッチ軸２７及びテンションローラー２８からなる。クラッチ２４は、クラッチレバー２６のＯＮ−ＯＦＦ操作に応じてテンションローラー２８をＯＮ側、ＯＦＦ側に夫々動かすことができるものである。前記クラッチ２４は、クラッチレバー２６をＯＮ側に操作すると、前記駆動ベルト７１にテンションローラー２８を押し付けて（図３矢印ＯＮ方向）、駆動ベルト７１にテンションを与えて、駆動源２３の回転力が各プーリーに伝達されるようにすることができるようにしてある。また、クラッチ２４は、クラッチレバー２６をＯＦＦ側に操作して、前記駆動ベルト７１からテンションローラー２８を離すと（図３矢印ＯＦＦ方向）、駆動ベルト７１にテンションがなくなり、駆動源２３の動力プーリー６９が空回りして、回転力が前記汚れ除去具５ａ、５ｂ用の伝達プーリー６６と減速機２５の伝達プーリー７０とに伝わらず、貝移送体４及び汚れ除去具５ａ、５ｂのいずれにも動力が供給されないようにすることができるようにもしてある。
【００４０】
従って、前記クラッチ２４によって前記駆動ベルト７１にテンションを与えた状態の下で、駆動源２３を回転させると、回転力が前記汚れ除去具５ａ、５ｂ用の伝達プーリー６６及び減速機２５の伝達プーリー７０とに伝わる。前記のように、汚れ除去具５ａ、５ｂ用の伝達プーリー６６は、前記駆動プーリー６２と接続されており、伝達プーリー６６の回転によって、汚れ除去具５ａ、５ｂが回転するようにしてある。また、減速機２５の伝達プーリー７０は、減速機２５内部に回転力を伝達するものであり、減速機２５によって減速された回転力は、減速機２５の駆動プーリー７２に伝達され、駆動プーリー７２の回転によって、回転走行体３１が図１の矢印ａ方向（貝移動通路３の入口５０側から出口６０側）に回転する。
【００４１】
前記各種プーリーと、ベルトは、夫々スプロケット及びチェーンで置き換えることも可能である。実施形態１では、掃除具５ａ、５ｂの回転軸１２の入口５０側端部に、プーリー６１ａ、６１ｂを備えたが、図１２に示すように、前記掃除具５ａ、５ｂの回転軸１２の端部に、空気の入ったタイヤ１００ａ、１００ｂを取付けて、駆動源２３の回転力を両回転軸１２に伝達させることも可能である。両タイヤ１００ａ、１００ｂ同士はその曲面同士が面で接しており、十分な摩擦力が働くようにしてある。二本の汚れ除去具５ａ、５ｂに備えられる回転駆動輪は、図に示すような空気の入ったタイヤ１００ａ、１００ｂには限られず、その他、中実のゴム製の外周が円型のドラムや、ギア等を用いることもできる。
【００４２】
本発明の貝清浄機の貝移送体のカバーは、着脱自在のものとすることもできる。また、貝移送体及びカバーの構造や形状は、前記のものには限られず、任意の構成及び形状とすることができる。
【００４３】
（実施形態２）
実施形態２は図示してないが、貝移送体の入口側と出口側に実施形態１と同様の昇降体を設け、それら昇降体を実施形態１の出口側と同様に支持体に昇降可能に取り付け、夫々の昇降体に実施形態１のレバーと同様のレバーを取付け、夫々のレバーの操作端部を別々に昇降操作することにより、入口側の遊動軸と出口側の駆動軸が別々に昇降して、貝移送体の入口側と出口側が別々に昇降するようにしたものである。
【００４４】
（実施形態３）
実施形態３は図示していないが、貝移送体の入口側と出口側の中程に実施形態１の昇降体と同様の昇降体を設け、その昇降体を実施形態１の出口側と同様に支持体に昇降可能に取り付け、その昇降体に実施形態１のレバーと同様のレバーを取り付け、そのレバーの操作端部を昇降操作することにより、入口側の遊動軸と出口側の駆動軸が同時に昇降して、貝移送体の入口側と出口側が同時に昇降するようにしたものである。
【００４５】
（使用例１）
実施形態１の貝清浄機を用いて貝の表面を清浄するには、以下のようにする。
１．貝移動通路内を移送する貝の直径の大きさに合わせて、レバーの操作端部を昇降操作して、貝移送体４を昇降させて、貝移送体４と貝移動通路の底面の間隔を調節しておく。
２．クラッチ２４をＯＮ側に操作した上で、駆動源２３を回転させて貝移送体４の回転走行体３１及び汚れ除去具５ａ、５ｂの回転軸１２を回転させる。
３．貝移動通路３の入口５０側のホッパー５５に帆立貝などの貝Ｓを手作業で投入する。
４．ホッパー５５内の貝Ｓは回転する貝移送体４の送り片１０に押されて貝移動通路３内に落下する。
５．貝移動通路３内の縦向きの貝Ｓは貝移送体４の送り片１０により押されて回転しながら、貝移動通路３の入口５０側から出口６０側に移動される。この際、スプリング４４ａ、４４ｂによって下方に付勢されたガイドローラー３９ａ、３９ｂによって、投入された貝Ｓの大きさ、形状に合わせて下方走行部３２が上下するため、貝Ｓがスムースに移動する。
６．貝移動通路３内の縦向きの貝Ｓが移動する間に、貝移動通路３の左右両外側の汚れ除去具５ａ、５ｂの爪９が貝移動通路３の開口部８から貝移動通路３内に突出して、貝Ｓ表面の付着物が掻き落とされる。この場合、一方の汚れ除去具５ｂの回転軸１２が入口側から出口側に下り傾斜に、他方の汚れ除去具５ａの回転軸１２が入口側から出口側に上り傾斜になっているため、汚れ除去具５ａ、５ｂの爪９が貝の表裏面の下から上まで接触し、更に、貝Ｓが回転しながら移動されるため、汚れ除去具５ａ、５ｂの爪９が貝の表面全般に接触し、貝の表面全般が掃除される。
７．貝移動通路３の出口６０側付近では、回転走行体３１が、ガイドローラー３９ａ、３９ｂによって、下方走行部３２が出口６０側にむけて次第に上り傾斜となるようにガイドされ、上り傾斜とされた部分の送り片１０は、貝移動通路３内の底部７７まで入りこまないため、送り片１０が貝Ｓに触れる接触面積が次第に少なくなり、貝Ｓの移送速度を落とすことができ、貝Ｓの損傷を防ぐことができる。
８．貝移動通路３内で付着物が掻き落とされた貝Ｓは送り片１０により押されて貝移動通路３内の出口６０から排出され、出口６０の下方に配置してある容器内に落下し、回収される。
９．前記１〜６の作業により、ホッパー５５に投入される貝Ｓが次から次へと清浄される。
なお、実施形態２、３の貝清浄機を用いて貝の表面を清浄する場合も、前記１〜９の工程と同様に行う。
【００４６】
（使用例２）
実施形態１の貝清浄機において、貝移送体４を昇降させるには、以下のようにする。
１．クラッチ２４をＯＦＦ側に操作しておき、貝移送体４及び汚れ除去具５ａ、５ｂに駆動源２３の回転力が伝達されないようにする。
２．ロック機構８３の操作ネジ８６を緩め、昇降体８０の固定を解除し、昇降体８０が自由に昇降できるようにする。
３．レバー９０の操作端部９２を把持して上下させ、貝移送体４が所望の高さとなるように昇降体８０を昇降させる。
４．貝移送体４が所望の高さとなったら、ロック機構８３の操作ネジ８６を締めて、昇降体８０を固定し、貝移送体４を固定する。
５．再度貝移送体４を昇降させるためには、上記１〜４の工程を繰り返す。
なお、実施形態２、３の貝清浄機において貝移送体を昇降させる場合も、前記１〜５の工程と同様に行う。
【００４７】
（使用例３）
実施形態１の貝清浄機において、貝移送体４を跳ね上げて掃除、点検、修理等の作業を行う際には、以下のようにする。
１．クラッチ２４をＯＦＦ側に操作しておき、貝移送体４及び汚れ除去具５ａ、５ｂに駆動源２３の回転力が伝達されないようにする。
２．ハンドル３４を握って、貝移送体４の入口５０側を、駆動輪３６の回転軸４０を軸にして、カバー３０ごと上方へ跳ね上げる。
３．貝移送体４の入口５０側を跳ね上げると、保持機構９４の係止ピン９５が上方に回動して係止バー９６を自動的に押し上げ、係止バー９６の下向き半円弧状の係止部９７に係止して、貝移送体４の入口５０側を、跳ね上げ位置で保持する。
４．貝移動通路３内に詰まった貝を除去したり、貝移動通路３内及び貝移送体４の掃除、点検、修理等任意の作業を行う。
５．作業を終えたら、ハンドル３４を握って、保持状態の貝移送体４の入口５０側を持ち上げ、係止ピン９５と係止バー９６の係止部９７との係止を解除して、貝移送体４を降下できるようにする。なお、係止ピン９５と係止バー９６の係止部９７との係止の解除は、作業者の手で行うこともできる。
６．ハンドル３４を握って、駆動輪３６の回転軸４０を軸にして、貝移送体４の入口５０側を降ろす。
７．係止バー９６の先端に取付けたナット９８に差し込まれているボルト９９の頭が係止ピン９５に突き当るまで降下させたら、ハンドル３４を離す。
８．再度作業を行う場合は、上記１〜７の工程を繰り返す。
なお、実施形態２、３の貝清浄機においても、貝移送体を跳ね上げ降下可能であれば、前記１〜８と同様に貝移送体を跳ね上げ降下させることができる。
【産業上の利用可能性】
【００４８】
本発明の貝清浄機は、貝のみならず、他の円盤状の工業製品等の研磨にも応用することができる。
【図面の簡単な説明】
【００４９】
【図１】本発明の貝清浄機の実施形態の一例を示す正面図。
【図２】（ａ）は、図１に示す貝清浄機の貝移動通路の様子を示す平面図。（ｂ）は、（ａ）に示す貝移動通路と回転軸との関係を示す説明正面図。
【図３】図１に示す貝清浄機を示す平面図（一部省略）。
【図４】（ａ）は、図１に示す貝清浄機の貝移送体を示す正面図。（ｂ）は、（ａ）に示す貝清浄機の貝移送体を示す側面断面図。（ｃ）は、（ａ）に示す貝清浄機の貝移送体を示す平面図。
【図５】図１に示す貝清浄機の貝移送体を上昇させたときの貝移送体及び昇降体を示す部分正面図。
【図６】図１に示す貝清浄機の昇降体、レバー、係止バーの様子を示す部分斜視図。
【図７】図６に示す昇降体、レバー、係止バーの様子を別の角度から示した部分斜視図。
【図８】図１に示す貝清浄機の貝移送体を降下させたときの貝移送体及び昇降体を示す部分正面図。
【図９】図１に示す貝清浄機の貝移送体を跳ね上げたときの貝移送体及び保持機構を示す部分正面図。
【図１０】図１に示す貝清浄機の汚れ除去具の様子を示す平面説明図。
【図１１】図１に示す貝清浄機の汚れ除去具の回転軸の取付けの様子を示す側面説明図。
【図１２】本発明の貝清浄機の実施形態の一例を示す側面説明図。
【符号の説明】
【００５０】
１  架台
２  支持脚
３  貝移動通路
４  貝移送体
４ａ  貝移送体のフレーム
５ａ  汚れ除去具
５ｂ  汚れ除去具
７  棒材
８  開口部
９  爪
１０  送り片
１１  駆動源収容箱
１２  回転軸
２２  ユニバーサルジョイント
２４  クラッチ
３０  カバー
３１  回転走行体
３２  下方走行部
３５  従動輪
３６  駆動輪
３９ａ、３９ｂ  ガイドローラー
４０  回転軸
４１  取付け枠
４４ａ、４４ｂ  スプリング
８０  昇降体
８３  ロック機構
９０  レバー
９２  操作端部
９４  保持機構
９５  係止ピン
９６  係止バー
９７  係止部
【図１】
2006109778.tif 000003
【図２】
2006109778.tif 000004
【図３】
2006109778.tif 000005
【図４】
2006109778.tif 000006
【図５】
2006109778.tif 000007
【図６】
2006109778.tif 000008
【図７】
2006109778.tif 000009
【図８】
2006109778.tif 000010
【図９】
2006109778.tif 000011
【図１０】
2006109778.tif 000012
【図１１】
2006109778.tif 000013
【図１２】
2006109778.tif 000014